(57)【特許請求の範囲】
【請求項１】
床面に設けられる敷居溝に案内されて開閉する扉の下端に取り付けられ、扉開閉に伴い、床面上を転がり回転する第１ローラと、
扉開閉に伴い、第１ローラの回転方向と反対の回転方向に回転し、敷居溝内を転がって敷居溝内の異物を排除する第２ローラと、
第１ローラと第２ローラとの間に設けられ、第１ローラの回転方向を反転して第２ローラに伝達する回転方向反転機構と、
を備えることを特徴とする扉案内敷居装置。
【請求項２】
請求項１に記載の扉案内敷居装置において、
第２ローラは、ローラの外周に設けられるブラシを有することを特徴とする扉案内敷居装置。
【請求項３】
請求項２に記載の扉案内敷居装置において、
ブラシは、第２ローラに交換可能に設けられることを特徴とする扉案内敷居装置。
【請求項４】
請求項１〜３のいずれか１項に記載の扉案内敷居装置において、
第１ローラは、エレベータ乗場の床面またはエレベータかごの床面に設けられる敷居溝に案内されて開閉する扉の下端に取り付けられ、
第２ローラは、その敷居溝の中を転がることを特徴とする扉案内敷居装置。
【発明の詳細な説明】
【技術分野】
【０００１】
本発明は、扉案内敷居装置に係り、特に床面に設けられる敷居溝に案内されて開閉する扉の下端に設けられ、扉の開閉に伴って作動する扉案内敷居装置に関する。
【背景技術】
【０００２】
扉が床面に設けられる敷居溝に案内される場合には、敷居溝にゴミ等の異物が溜まりやすく、扉の開閉に支障が生じる場合がある。
【０００３】
例えば、特許文献１には、ドアシューのガイドに異物が存在してもドアの開閉移動を円滑に行うことができるものとして、適当な重さを有する可動コロがコロ軸の両側に２個取り付けられ、コロ軸は支持軸に回転自在に取り付けられ、支持軸と２個の可動コロを有する腕が固定部を支点として一定角度で２個配置されて、ドアの下部に回転自在に取り付けられる１個のドアシューとなる構成が開示されている。
【０００４】
【特許文献１】特開２００２−３６２８６８号公報
【発明の開示】
【発明が解決しようとする課題】
【０００５】
特許文献１の構成によれば、ドアシューのガイドである敷居溝に異物が存在してもドアの開閉を確保することができる。しかしながら、敷居溝の中のゴミ等の異物をそのままにしておくわけには行かず、敷居溝の清掃等が必要になる。
【０００６】
本発明の目的は、敷居溝の中の異物を容易に除去できる扉案内敷居装置を提供することである。
【課題を解決するための手段】
【０００７】
本発明に係る扉案内敷居装置は、床面に設けられる敷居溝に案内されて開閉する扉の下端に取り付けられ、扉開閉に伴い、床面上を転がり回転する第１ローラと、扉開閉に伴い、第１ローラの回転方向と反対の回転方向に回転し、敷居溝内を転がって敷居溝内の異物を排除する第２ローラと、第１ローラと第２ローラとの間に設けられ、第１ローラの回転方向を反転して第２ローラに伝達する回転方向反転機構と、を備えることを特徴とする。
【０００９】
また、本発明に係る扉案内敷居装置において、第２ローラは、ローラの外周に設けられるブラシを有することが好ましい。
【００１０】
また、本発明に係る扉案内敷居装置において、ブラシは、第２ローラに交換可能に設けられることが好ましい。
【００１１】
また、本発明に係る扉案内敷居装置において、第１ローラは、エレベータ乗場の床面またはエレベータかごの床面に設けられる敷居溝に案内されて開閉する扉の下端に取り付けられ、第２ローラは、その敷居溝の中を転がることが好ましい。
【発明の効果】
【００１２】
上記構成により、扉案内敷居装置は、床面に設けられる敷居溝に案内されて開閉する扉の下端に取り付けられ、扉開閉に伴い、床面上を転がり回転する第１ローラと、扉開閉に伴い、第１ローラの回転方向と反対の回転方向に回転し、敷居溝内を転がって敷居溝内の異物を排除する第２ローラとを備える。第１ローラは床面上を転がるので、扉の移動する方向に対し、転がりの先端側が後方に向く。第２ローラは第１ローラと回転方向が逆方向であるので、扉の移動方向に対し、転がりの先端側が前方に向く。つまり、敷居溝に異物がある場合、扉の移動方向の前方に向かって掻き出し、あるいは跳ね出すように転がる。これによって、扉開閉に伴って、敷居溝の中の異物が扉の移動方向の前方に集められるので、異物を容易に除去することができる。
【００１３】
また、扉案内敷居装置において、第１ローラと第２ローラとの間に、第１ローラの回転方向を反転して第２ローラに伝達する回転方向反転機構が設けられる。これによって、第２ローラの駆動源を特に設けることなく、敷居溝の中の異物を容易に除去できる。
【００１４】
また、扉案内敷居装置において、第２ローラは、ローラの外周に設けられるブラシを有する。このようにブラシを用いることで、敷居溝の異物を扉の移動方向の前方に向かって掻き出し、あるいは跳ね出すことが一層容易となる。
【００１５】
また、扉案内敷居装置において、ブラシは、第２ローラに交換可能に設けられるので、ブラシが汚れた場合、あるいは摩耗した場合等に、交換を容易に行うことができる。
【００１６】
また、扉案内敷居装置において、第１ローラは、エレベータ乗場の床面またはエレベータかごの床面に設けられる敷居溝に案内されて開閉する扉の下端に取り付けられ、第２ローラは、その敷居溝の中を転がる。したがって、エレベータの乗場扉のための敷居溝、エレベータかご扉のための敷居溝の中の異物を容易に除去できる。
【発明を実施するための最良の形態】
【００１７】
以下に図面を用いて本発明に係る実施の形態に付き詳細に説明する。以下では、扉案内敷居装置が設けられる対象として、建物のエレベータにおける乗場扉のための敷居溝およびエレベータかご扉のための敷居溝を説明するが、双方の敷居溝に設けるほかに、一方の敷居溝にのみ設けるものとしてもよい。また、エレベータのための扉を案内する敷居溝以外の敷居溝であってもよい。例えば、敷居溝によって案内される仕切り扉等であってもよい。また、以下では、第１ローラと第２ローラとの間に回転方向変換機構が設けられるものとして説明するが、第２ローラを扉の開閉に応じて独立に駆動されるものとしてもよい。
【００１８】
また、以下の各図においては、共通の要素には同一の符号を付し、重複する説明を省略する。また、各図の説明等においては、必要に応じ、それ以前に説明した符号を用いて説明するものとする。
【００１９】
図１は、扉案内敷居装置３０，６０が設けられるエレベータの乗場付近を示す図である。ここでは、エレベータかご１０が乗場２０に到着して、エレベータかご扉１２と乗場扉２２が連動して開きかけている様子が示されている。扉案内敷居装置３０は、エレベータかご扉１２が案内されるかご敷居溝１４に設けられるものであり、扉案内敷居装置６０は乗場扉２２が案内される乗場敷居溝２４に設けられるものである。これらは、基本的に同様な構成をとることができるので、以下では、かご敷居溝１４に設けられる扉案内敷居装置３０を中心に説明する。
【００２０】
扉案内敷居装置３０は、エレベータかご扉１２の移動を案内するためのかご敷居溝１４に設けられ、エレベータかご扉１２の開閉に伴って、かご敷居溝１４の中をブラシで清掃し、溝の中にゴミ等の異物がある場合にこれらを掃きだす機能を有する装置である。図２、図３、図４は、扉案内敷居装置３０がエレベータかご扉１２に取り付けられ、かご敷居溝１４に中に配置される様子を示す図である。ここで図２は、かご敷居溝の部分を断面図で示す正面図、図３は、エレベータかご扉１２の下端部分を切断して上方から見た平面図、図４は、乗場２０を含めて、扉案内敷居装置３０，６０の様子を断面図で示す側面図である。
【００２１】
扉案内敷居装置３０は、エレベータかご扉１２の下端部にドアシュー１６と並んで設けられるもので、第１ローラ４０と第２ローラ５０とを含んで構成される。扉案内敷居装置３０は、エレベータかご扉１２において、ドアシュー１６よりも扉の開閉端部の側に近い方に設けられる。図２では、白抜き矢印で、エレベータかご扉１２が閉じる方向が示されているが、この例でいえば、扉案内敷居装置３０は、ドアシュー１６よりも白抜き矢印の方向に寄ったところに設けられる。
【００２２】
図４に示されるように、第１ローラ４０は、第１ローラ本体４２と、第１歯車４４と、中心軸４６とを含んで構成される。また、第２ローラ５０は、第２ローラ本体５２と、第２歯車５４と、中心軸５６とを含んで構成される。
【００２３】
第１ローラ本体４２は、中心軸４６の周りに回転可能な円板で、その外周はエレベータかご１０の床面であるかご床面１８に接触するように、中心軸４６に取り付けられる。
【００２４】
第１歯車４４は、第１ローラ本体４２と同軸に配置される歯車である。第１歯車４４は、第１ローラ本体４２と一体的に中心軸４６の周りに回転する。したがって、第１ローラ本体４２と第１歯車４４とは一体的に構成されることが好ましい。あるいは、中心軸４６に対し、第１ローラ本体４２と第１歯車４４とが一体的に固定して取り付けられることが好ましい。
【００２５】
中心軸４６は、第１ローラ本体４２と第１歯車４４とをエレベータかご扉１２の下端部に回転自在に支持する機能を有する軸である。中心軸４６は、第１ローラ本体４２と第１歯車４４と一体的に形成してエレベータかご扉１２に設けられる回転穴に回転自在に保持されるものとしてもよく、あるいは、エレベータかご扉１２に固定された軸体として、第１ローラ本体４２と第１歯車４４とに設けられる回転穴に挿入されるものとしてもよい。
【００２６】
第２ローラ本体５２は、中心軸５６の周りに回転可能な円板で、その外周に清掃用ブラシ５８が植え込まれて配置される。清掃用ブラシ５８は、その先端がかご敷居溝１４の底面に接する長さに揃えられ、第２ローラ本体５２が中心軸５６の周りに回転するとき、ちょうどかご敷居溝１４の底面を転がるように移動することができる。これによって、かご敷居溝１４の中の異物を一方向に掃き出すことができる。
【００２７】
なお、清掃用ブラシ５８が埋め込まれる部分は、リング状に成形され、第２ローラ本体５２の中央部分の円板の外周にはめ込まれる。これによって、清掃用ブラシ５８の部分を第２ローラ本体５２の中央部分の円板と着脱可能とすることができ、清掃用ブラシ５８を必要に応じ容易に交換することができる。
【００２８】
第２歯車５４は、第２ローラ本体５２と同軸に配置される歯車である。第２歯車５４は、第２ローラ本体５２と一体的に中心軸５６の周りに回転する。したがって、第２ローラ本体５２と第２歯車５４とは一体的に構成されることが好ましい。あるいは、中心軸５６に対し、第２ローラ本体５２と第２歯車５４とが一体的に固定して取り付けられることが好ましい。
【００２９】
この第２歯車５４は、第１ローラ４０の第１歯車４４と噛み合わされる。これによって、第１ローラ本体４２の回転方向が反転され第２ローラ本体５２に伝達される。この意味で、第１歯車４４と第２歯車５４とは、回転方向反転機構を形成する。なお、第１ローラ本体４２の回転方向を反転して第２ローラ本体５２に伝達する回転反転機構として、この歯車機構のほかに、摩擦を利用したローラ伝達機構を用いるものとしてもよい。
【００３０】
中心軸５６は、第２ローラ本体５２と第２歯車５４とをエレベータかご扉１２の下端部に回転自在に支持する機能を有する軸である。中心軸５６は、第１ローラ４０における中心軸４６と同様に、エレベータかご扉１２に設けられる回転穴に回転自在に保持される軸体としてもよく、あるいは、エレベータかご扉１２に固定された軸体としてもよい。
【００３１】
なお、図４には、乗場扉２２の下端部に設けられる扉案内敷居装置６０を構成する第１ローラ７０、第２ローラ８０の様子が示される。第１ローラ７０は、乗場床面２８上を転がる第１ローラ本体７２と、第１歯車７４と、中心軸７６とを含んで構成され、また、第２ローラ８０は、第２ローラ本体８２と、第２歯車８４と、中心軸８６とを含んで構成され、第２ローラ本体８２の外周には清掃用ブラシ８８が設けられる。それぞれの内容は、エレベータかご扉１２に設けられる扉案内敷居装置３０においてそれぞれ対応する要素と同じであるので、詳細な説明を省略する。
【００３２】
かかる構成の作用を説明する。図２の扉案内敷居装置３０において、白抜き矢印の方向にエレベータかご扉１２が移動すると、かご床面１８上を転がって第１ローラ４０の第１ローラ本体４２が回転する。その回転方向は、図２で示される矢印のように、紙面上で時計方向である。この回転方向は、図４に関連して説明したように、第１歯車４４と第２歯車５４による回転方向反転機構によって回転方向が変換され、第２ローラ５０の第２ローラ本体５２が反時計方向に回転する。
【００３３】
第２ローラ本体５２が反時計方向に回転すると、その外周の清掃用ブラシ５８も反時計方向に回転し、かご敷居溝１４の中の異物を、白抜き矢印の方向、つまりエレベータかご扉１２の移動方向に掃き出す。これによって、かご敷居溝１４の中の異物が一方向に掃き出され、除去することが容易になる。なお、乗場扉２２に取り付けられる扉案内敷居装置６０も同様の作用を有する。
【００３４】
上記の例では、エレベータかご扉１２が閉じる方向に移動するものであった。この場合には、かご敷居溝１４の中の異物は、ドアシュー１６が配置される側とは反対側に掃き出される。これに対し、エレベータかご扉１２が開く方向に移動すると、上記の構成の例では、かご敷居溝１４の中の異物は、ドアシュー１６が配置される側に寄せられることになる。もっとも、その次にエレベータかご扉１２が閉じられるときに、その異物は再びドアシュー１６が配置される側とは反対側に掃き出されるので、１往復以上の扉の開閉を行うことで、かご敷居溝１４の中の異物をほとんど除去できる。
【００３５】
図５は、エレベータかご扉１２の移動方向に応じ、扉案内敷居装置３０をかご敷居溝１４に対し上下させることができる構成の例を示す図である。ここでは、移動方向検出錘９０を用い、エレベータかご扉１２に設けられる回転中心９２を回転中心として回転可能なアーム９４が設けられ、このアーム９４の一端側に扉案内敷居装置３０が、他端側に移動方向検出錘９０が取り付けられる。アーム９４の一端側と他端側とのなす角度は適当に設定される。
【００３６】
図５において、（ａ）は、エレベータかご扉１２が閉じる方向に移動する場合、（ｂ）は、エレベータかご扉１２が開く方向に移動する場合の様子をそれぞれ示す図である。以下に述べるように、図５（ａ）では清掃用ブラシ５８が、かご敷居溝１４の中を清掃するのに対し、図５（ｂ）では、清掃用ブラシ５８が、かご敷居溝１４の底面から離れる。
【００３７】
図５（ａ）において、エレベータかご扉１２が白抜き矢印の方向、つまり紙面上で右側に移動すると、移動方向検出錘９０は回転中心９２の周りに時計方向に回転する。これによって、扉案内敷居装置３０はかご敷居溝１４の側に下降する。これによって第１ローラ４０はかご床面１８上を転がり、第２ローラ５０の清掃用ブラシ５８はかご敷居溝１４の中を清掃する。
【００３８】
図５（ｂ）において、エレベータかご扉１２が白抜き矢印の方向、つまり紙面上で左側に移動すると、移動方向検出錘９０は回転中心９２の周りに反時計方向に回転する。これによって、扉案内敷居装置３０はかご敷居溝１４の側から上昇する。これによって第１ローラ４０はかご床面１８から離れ、第２ローラ５０の清掃用ブラシ５８もかご敷居溝１４の底面から離れる。
【図面の簡単な説明】
【００３９】
【図１】本発明に係る実施の形態の扉案内敷居装置が設けられるエレベータの乗場付近を示す図である。
【図２】本発明に係る実施の形態において、かご敷居溝の部分を断面図で示す正面図である。
【図３】本発明に係る実施の形態において、エレベータかご扉の下端部分を切断して上方から見た平面図である。
【図４】本発明に係る実施の形態において、乗場を含めて、扉案内敷居装置の様子を断面図で示す側面図である。
【図５】本発明に係る実施の形態において、エレベータかご扉の移動方向に応じ、扉案内敷居装置をかご敷居溝に対し上下させることができる構成の例を示す図である。
【符号の説明】
【００４０】
１０  エレベータかご、１２  エレベータかご扉、１４  かご敷居溝、１６  ドアシュー、１８  かご床面、２０  乗場、２２  乗場扉、２４  乗場敷居溝、２８  乗場床面、３０，６０  扉案内敷居装置、４０，７０  第１ローラ、４２，７２  第１ローラ本体、４４，７４  第１歯車、４６，５６，７６，８６  中心軸、５０，８０  第２ローラ、５２，８２  第２ローラ本体、５４，８４  第２歯車、５８，８８  清掃用ブラシ、９０  移動方向検出錘、９２  回転中心、９４  アーム。
【図１】
0005004841.tif 000002
【図２】
0005004841.tif 000003
【図３】
0005004841.tif 000004
【図４】
0005004841.tif 000005
【図５】
0005004841.tif 000006